【手続補正書】
【提出日】令和2年1月10日(2020.1.10)
【手続補正１】
【補正対象書類名】明細書
【補正対象項目名】発明の名称
【補正方法】変更
【補正の内容】
【発明の名称】ゲームコントローラ用アタッチメント
【手続補正２】
【補正対象書類名】明細書
【補正対象項目名】０００１
【補正方法】変更
【補正の内容】
【０００１】
本発明は、ゲームコントローラとともに用いられるゲームコントローラ用アタッチメントに関する。
【手続補正３】
【補正対象書類名】明細書
【補正対象項目名】０００５
【補正方法】変更
【補正の内容】
【０００５】
それ故に、本発明の目的は、より利便性の高いゲームコントローラ用アタッチメントを提供することである。
【手続補正４】
【補正対象書類名】特許請求の範囲
【補正対象項目名】全文
【補正方法】変更
【補正の内容】
【特許請求の範囲】
【請求項１】
上面に少なくとも第１ボタンおよび第２ボタンを有し前面に少なくとも第１操作入力部を有する第１ゲームコントローラおよび当該第１ゲームコントローラとは少なくとも背面が異なる形状であって上面に少なくとも第３ボタンおよび第４ボタンを有し前面に少なくとも第２操作入力部を有する第２ゲームコントローラの何れとも着脱可能であり、その一方のゲームコントローラが着脱可能に固定される固定部と、
第１可動部と、
第２可動部とを備え、
前記固定部は、
上壁と、
下壁とを有し、
前記第１可動部は、
第１操作部と、
前記第１操作部に対する操作に応じてゲームコントローラのボタンを押下することが可能であり、前記上壁に設けられる第１ボタン押下部とを有し、
前記第１ボタン押下部は、
少なくとも、前記第１操作入力部を含む前記前面の一部が外部に露出され、前記第１ゲームコントローラの上面の少なくとも一部および下面の少なくとも一部と前記上壁の少なくとも一部および前記下壁の少なくとも一部とがそれぞれ対向した状態で前記固定部に当該第１ゲームコントローラが前記背面側から固定された場合において、当該第１ゲームコントローラの前記第１ボタンを押下することが可能であり、
少なくとも、前記第２操作入力部を含む前記前面の一部が外部に露出され、前記第２ゲームコントローラの上面の少なくとも一部および下面の少なくとも一部と前記上壁の少なくとも一部および前記下壁の少なくとも一部とがそれぞれ対向した状態で前記固定部に当該第２ゲームコントローラが前記背面側から固定された場合において、当該第２ゲームコントローラの前記第３ボタンを押下することが可能であり、
前記第２可動部は、
第２操作部と、
前記第２操作部に対する操作に応じてゲームコントローラのボタンを押下することが可能であり、前記上壁に設けられる第２ボタン押下部とを有し、
前記第２ボタン押下部は、
少なくとも、前記第１操作入力部を含む前記前面の一部が外部に露出され、前記第１ゲームコントローラの上面の少なくとも一部および下面の少なくとも一部と前記上壁の少なくとも一部および前記下壁の少なくとも一部とがそれぞれ対向した状態で前記固定部に当該第１ゲームコントローラが前記背面側から固定された場合において、当該第１ゲームコントローラの前記第２ボタンを押下することが可能であり、
少なくとも、前記第２操作入力部を含む前記前面の一部が外部に露出され、前記第２ゲームコントローラの上面の少なくとも一部および下面の少なくとも一部と前記上壁の少なくとも一部および前記下壁の少なくとも一部とがそれぞれ対向した状態で前記固定部に当該第２ゲームコントローラが前記背面側から固定された場合において、当該第２ゲームコントローラの前記第４ボタンを押下することが可能である、ゲームコントローラ用アタッチメント。
【請求項２】
前記第１ボタン押下部は、前記第１操作部に対する押下操作に応じて前記固定部に固定された前記第１ゲームコントローラの前記第１ボタンに向かって当該固定部の上壁から突出することによって、当該第１ゲームコントローラの前記第１ボタンを押下することが可能であり、
前記第２ボタン押下部は、前記第２操作部に対する押下操作に応じて前記固定部に固定された前記第１ゲームコントローラの前記第２ボタンに向かって当該固定部の上壁から突出することによって、当該第１ゲームコントローラの前記第２ボタンを押下することが可能である、請求項１に記載のゲームコントローラ用アタッチメント。
【請求項３】
前記第１可動部は、前記押下操作によって前記第１ゲームコントローラの前記第１ボタンを押下していない状態から押下している状態にした場合に、前記第１操作部が押下された移動量に対して、前記第１ボタン押下部が前記固定部に固定された前記第１ゲームコントローラの前記第１ボタンに向かって動く移動量が小さくなるように構成され、
前記第２可動部は、前記押下操作によって前記第１ゲームコントローラの前記第２ボタンを押下していない状態から押下している状態にした場合に、前記第２操作部が押下された移動量に対して、前記第２ボタン押下部が前記固定部に固定された前記第１ゲームコントローラの前記第２ボタンに向かって動く移動量が小さくなるように構成される、請求項１に記載のゲームコントローラ用アタッチメント。
【請求項４】
前記第１可動部は、
第１軸部と、
前記第１軸部を中心に回動し、前記第１操作部および前記第１ボタン押下部と接続する第１腕部を、さらに含み、
前記第２可動部は、
第２軸部と、
前記第２軸部を中心に回動し、前記第２操作部および前記第２ボタン押下部と接続する第２腕部を、さらに含む、請求項１に記載のゲームコントローラ用アタッチメント。
【請求項５】
前記第１腕部は、前記第１操作部と前記第１軸部との間の距離の方が前記第１ボタン押下部と前記第１軸部との間の距離より長くなるように形成され、
前記第２腕部は、前記第２操作部と前記第２軸部との間の距離の方が前記第２ボタン押下部と前記第２軸部との間の距離より長くなるように形成される、請求項４に記載のゲームコントローラ用アタッチメント。
【請求項６】
前記第１ボタン押下部は、前記固定部に固定された前記第１ゲームコントローラの前記第１ボタンと当接可能な面における前記第１軸部に最も近い端部に第１面取量の面取形状が形成されるとともに、当該当接可能な面における前記第１軸部から最も遠い端部に当該第１面取量より小さい面取量の面取形状が形成され、
前記第２ボタン押下部は、前記固定部に固定された前記第１ゲームコントローラの前記第２ボタンと当接可能な面における前記第２軸部に最も近い端部に第２面取量の面取形状が形成されるとともに、当該当接可能な面における前記第２軸部から最も遠い端部に当該第２面取量より小さい面取量の面取形状が形成される、請求項４または５に記載のゲームコントローラ用アタッチメント。
【請求項７】
前記第１ボタン押下部は、前記固定部に固定された前記第１ゲームコントローラの前記第１ボタンと当接可能な面において、前記固定部に固定された前記第１ゲームコントローラの前記第１ボタンに向かって動く場合に最初に前記第１ボタンと接近する端部に第１面取量の面取形状が形成されるとともに、当該当接可能な面において当該端部と対向する反対側の端部に当該第１面取量より小さい面取量の面取形状が形成され、
前記第２ボタン押下部は、前記固定部に固定された前記第１ゲームコントローラの前記第２ボタンと当接可能な面において、前記固定部に固定された前記第１ゲームコントローラの前記第２ボタンに向かって動く場合に最初に前記第２ボタンと接近する端部に第２面取量の面取形状が形成されるとともに、当該当接可能な面において当該端部と対向する反対側の端部に当該第２面取量より小さい面取量の面取形状が形成される、請求項４または５に記載のゲームコントローラ用アタッチメント。
【請求項８】
前記第１可動部は、前記第１操作部が設けられる位置に対して前記第１軸部の軸方向について所定距離ずれた位置に前記第１ボタン押下部が形成され、
前記第２可動部は、前記第２操作部が設けられる位置に対して前記第２軸部の軸方向について所定距離ずれた位置に前記第２ボタン押下部が形成される、請求項４乃至７の何れか１つに記載のゲームコントローラ用アタッチメント。
【請求項９】
前記第１可動部は、前記第１操作部が設けられる位置に対して正面から背面に向かう方向について所定距離ずれた位置に前記第１ボタン押下部が形成され、
前記第２可動部は、前記第２操作部が設けられる位置に対して正面から背面に向かう方向について所定距離ずれた位置に前記第２ボタン押下部が形成される、請求項１乃至８の何れか１つに記載のゲームコントローラ用アタッチメント。
【請求項１０】
前記正面から背面に向かう方向について、前記第１操作部においてユーザの指によって当接可能な部位のうちの最も当該正面側に位置する箇所は、前記第１ボタン押下部において前記固定部に固定された前記第１ゲームコントローラの前記第１ボタンと当接可能な面のうちの最も当該背面側に位置する箇所より当該背面側に位置し、
前記正面から背面に向かう方向について、前記第２操作部においてユーザの指によって当接可能な部位のうちの最も当該正面側に位置する箇所は、前記第２ボタン押下部において前記固定部に固定された前記第１ゲームコントローラの前記第２ボタンと当接可能な面のうちの最も当該背面側に位置する箇所より当該背面側に位置する、請求項９に記載のゲームコントローラ用アタッチメント。
【請求項１１】
所定方向における前記第１ボタン押下部の幅は、当該所定方向における前記第１ボタンの幅より大きく、
前記所定方向における前記第２ボタン押下部の幅は、当該所定方向における前記第２ボタンの幅より大きい、請求項１乃至１０の何れか１つに記載のゲームコントローラ用アタッチメント。
【請求項１２】
前記所定方向は、前記正面から背面に向かう方向である、請求項１１に記載のゲームコントローラ用アタッチメント。
【請求項１３】
前記固定部の下壁には、少なくとも、
前記第１ゲームコントローラが前記固定部に固定された際に、当該第１ゲームコントローラの前記第１ボタンが前記第１ボタン押下部によって押し下げられる方向とは実質的に逆方向に当該第１ゲームコントローラを付勢する第１付勢部と、
前記第１ゲームコントローラが前記固定部に固定された際に、当該第１ゲームコントローラの前記第２ボタンが前記第２ボタン押下部によって押し下げられる方向とは実質的に逆方向に当該第１ゲームコントローラを付勢し、当該第２ボタンが前記第１ボタンより右側に配置される場合に前記第１付勢部より右側に設けられる第２付勢部とが設けられる、請求項１乃至１２の何れか１つに記載のゲームコントローラ用アタッチメント。
【請求項１４】
前記第１付勢部は、前記固定部の下壁において、前記第２ボタンが前記第１ボタンより右側に配置される場合に前記第１ボタン押下部の真下の位置または当該真下の位置より左側に設けられ、
前記第２付勢部は、前記固定部の下壁において、前記第２ボタンが前記第１ボタンより右側に配置される場合に前記第２ボタン押下部の真下の位置または当該真下の位置より右側に設けられる、請求項１３に記載のゲームコントローラ用アタッチメント。
【請求項１５】
前記固定部の上壁および／または下壁には、前記第１ゲームコントローラが前記固定部に固定された状態において、当該第１ゲームコントローラの側面の一部を外部に露出させる凹部が形成される、請求項１乃至１４の何れか１つに記載のゲームコントローラ用アタッチメント。
【請求項１６】
ユーザの両手によって把持可能な把持部を、さらに備え、
前記第１操作部および前記第２操作部は、前記ゲームコントローラ用アタッチメントの背面にそれぞれ配置され、
前記ゲームコントローラ用アタッチメントは、前記第１操作部および前記第２操作部が配置される位置よりさらに前記把持部の後方に固設された隆起部を、さらに有する、請求項１乃至１５の何れか１つに記載のゲームコントローラ用アタッチメント。
【請求項１７】
ユーザの両手によって把持可能な把持部を、さらに備え、
前記把持部は、周縁が略円形に形成されたリム部を有する、請求項１乃至１６の何れか１つに記載のゲームコントローラ用アタッチメント。
【請求項１８】
前記リム部は、前記ゲームコントローラ用アタッチメントの正面となる正面部位と背面側となる背面部位とを接合することによって構成され、
前記正面部位と前記背面部位とが接合される接合面は、前記リム部の外側より前記リム部の内側の方が前記正面側に位置する、請求項１７に記載のゲームコントローラ用アタッチメント。
【請求項１９】
前記第１ゲームコントローラが前記固定部に固定された際に、前記第１操作入力部と実質的に並ぶ位置に設けられる第１標識と、
前記第２ゲームコントローラが前記固定部に固定された際に、前記第２操作入力部と実質的に並ぶ位置に設けられる第２標識とを有する、請求項１乃至１８の何れか１つに記載のゲームコントローラ用アタッチメント。
【請求項２０】
前記第１ゲームコントローラは、前記固定部に固定された場合に左側となる当該第１ゲームコントローラの左端から前記第１ボタンまでの長さが第１長さで構成され、当該固定された場合に右側となる当該第１ゲームコントローラの右端から前記第２ボタンまでの長さが第２長さで構成され、
前記第２ゲームコントローラは、前記固定部に固定された場合に左側となる当該第２ゲームコントローラの左端から前記第３ボタンまでの長さが前記第１長さより長い第３長さで構成され、当該固定された場合に右側となる当該第２ゲームコントローラの右端から前記第４ボタンまでの長さが前記第２長さより短い第４長さで構成され、
前記固定部は、前記第２ゲームコントローラが前記固定部に固定された際に当該第２ゲームコントローラの左端と当接可能な左端面から前記第１ボタン押下部が突出する位置までの長さが前記第３長さで構成され、前記第１ゲームコントローラが前記固定部に固定された際に当該第１ゲームコントローラの右端と当接可能な右端面から前記第２ボタン押下部が突出する位置までの長さが前記第２長さで構成される、請求項１乃至１９の何れか１つに記載のゲームコントローラ用アタッチメント。
【請求項２１】
前記第１ゲームコントローラおよび前記第２ゲームコントローラは、前記固定部に固定された場合に縦となる上下方向の長さが第５長さであって、前記固定部に固定された場合に横となる左右方向の長さが第６長さで構成され、
前記固定部は、
前記第１ゲームコントローラまたは前記第２ゲームコントローラが取り付けられる前記上壁および前記下壁間の距離となる上下方向の長さが前記第５長さの物体を固定可能な長さで形成され、
前記第１ゲームコントローラまたは前記第２ゲームコントローラが取り付けられる左右方向の長さが前記第６長さより相対的に長い長さで形成される、請求項１乃至２０の何れか１つに記載のゲームコントローラ用アタッチメント。
【請求項２２】
前記固定部の上壁および下壁には、前記第１ゲームコントローラを固定する際、および前記第２ゲームコントローラを固定する際に、上下方向からそれぞれ当該ゲームコントローラを付勢して当該ゲームコントローラを固定する少なくとも１つの付勢部がそれぞれ設けられる、請求項１乃至２１の何れか１つに記載のゲームコントローラ用アタッチメント。
【請求項２３】
ユーザの両手によって把持可能な把持部を、さらに備え、
前記第１操作部は、前記把持部を把持したユーザの一方の手によって押下操作が可能であり、
前記第２操作部は、前記把持部を把持したユーザの他方の手によって押下操作が可能である、請求項１に記載のゲームコントローラ用アタッチメント。
【請求項２４】
上面に少なくとも第１ボタンおよび第２ボタンを有し前面に少なくとも第１操作入力部を有する第１ゲームコントローラおよび当該第１ゲームコントローラとは少なくとも背面が異なる形状であって上面に少なくとも第３ボタンおよび第４ボタンを有し前面に少なくとも第２操作入力部を有する第２ゲームコントローラの何れとも着脱可能であり、かつ、一方のゲームコントローラが装着されているときには他方のゲームコントローラが装着不可能である、ゲームコントローラ用アタッチメントであって、
一方のゲームコントローラが装着されているとき、当該ゲームコントローラの上面の少なくとも一部および下面の少なくとも一部のそれぞれと対向する上壁および下壁と、
第１可動部と、
第２可動部とを備え、
前記第１可動部は、
第１操作部と、
前記第１操作部に対する操作に応じてゲームコントローラのボタンを押下することが可能であり、前記上壁に設けられる第１ボタン押下部とを有し、
前記第１ボタン押下部は、
少なくとも、前記第１操作入力部を含む前記前面の一部が外部に露出され、前記第１ゲームコントローラの上面の少なくとも一部および下面の少なくとも一部と前記上壁の少なくとも一部および前記下壁の少なくとも一部とがそれぞれ対向した状態で当該第１ゲームコントローラが前記背面側から装着された場合において、当該第１ゲームコントローラの前記第１ボタンを押下することが可能であり、
少なくとも、前記第２操作入力部を含む前記前面の一部が外部に露出され、前記第２ゲームコントローラの上面の少なくとも一部および下面の少なくとも一部と前記上壁の少なくとも一部および前記下壁の少なくとも一部とがそれぞれ対向した状態で当該第２ゲームコントローラが前記背面側から装着された場合において、当該第２ゲームコントローラの前記第３ボタンを押下することが可能であり、
前記第２可動部は、
第２操作部と、
前記第２操作部に対する操作に応じてゲームコントローラのボタンを押下することが可能であり、前記上壁に設けられる第２ボタン押下部とを有し、
前記第２ボタン押下部は、
少なくとも、前記第１操作入力部を含む前記前面の一部が外部に露出され、前記第１ゲームコントローラの上面の少なくとも一部および下面の少なくとも一部と前記上壁の少なくとも一部および前記下壁の少なくとも一部とがそれぞれ対向した状態で当該第１ゲームコントローラが前記背面側から装着された場合において、当該第１ゲームコントローラの前記第２ボタンを押下することが可能であり、
少なくとも、前記第２操作入力部を含む前記前面の一部が外部に露出され、前記第２ゲームコントローラの上面の少なくとも一部および下面の少なくとも一部と前記上壁の少なくとも一部および前記下壁の少なくとも一部とがそれぞれ対向した状態で当該第２ゲームコントローラが前記背面側から装着された場合において、当該第２ゲームコントローラの前記第４ボタンを押下することが可能である、ゲームコントローラ用アタッチメント。